(57)【要約】【課題】本発明は、アクリロニトリル−ブタジエン−スチレン樹脂を含む物品に対して簡単に無電解めっき処理を行うことを可能にする分散性に優れた塗料組成物であって、環境に対する悪影響が少なく、安全性が高いとともに、優れためっき密着性を付与することができる塗料組成物を提供する。【解決手段】アクリロニトリル−ブタジエン−スチレン樹脂を含む物品に対して無電解めっきを施すための塗料組成物であって、以下の(1)〜(3)：(1)パラジウム粒子と分散剤との複合体、(2)水及び／又は非プロトン性極性溶媒、並びに(3)エポキシ樹脂、を含有することを特徴とする、無電解めっき用塗料組成物。【選択図】なし【特許請求の範囲】
【請求項１】
アクリロニトリル−ブタジエン−スチレン樹脂を含む物品に対して無電解めっきを施すための塗料組成物であって、以下の(1)〜(3)：
(1)パラジウム粒子と分散剤との複合体、
(2)水及び／又は非プロトン性極性溶媒、並びに
(3)エポキシ樹脂、
を含有することを特徴とする、無電解めっき用塗料組成物。
【請求項２】
前記(1)複合体は、分散剤の存在下、パラジウムイオンを還元することによって得られる、請求項１に記載の塗料組成物。
【請求項３】
前記非プロトン性極性溶媒が、N−メチルピロリドン、N,N-ジメチルホルムアミド及びN,N-ジメチルアセトアミドからなる群から選ばれた少なくとも１種である、請求項１又は２に記載の塗料組成物。
【請求項４】
アクリロニトリル−ブタジエン−スチレン樹脂を含む物品に対して無電解めっきを施すための塗料組成物の製造方法であって、
(2)水及び／又は非プロトン性極性溶媒、並びに(3)エポキシ樹脂を含有する無電解めっき用塗料組成物の製造方法であり、
以下の(i)並びに(ii)：
(i)  (2)水及び／又は非プロトン性極性溶媒中に、パラジウムイオン及び分散剤を存在させる工程１、並びに
(ii)  前記パラジウムイオンと還元剤とを反応させることにより、前記パラジウムイオン
を還元する工程２、
を順に含むことを特徴とする、塗料組成物の製造方法。
【請求項５】
前記非プロトン性極性溶媒が、N−メチルピロリドン、N,N-ジメチルホルムアミド及びN,N-ジメチルアセトアミドからなる群から選ばれた少なくとも１種である、請求項４に記載の塗料組成物の製造方法。
【請求項６】
請求項１〜３のいずれかに記載の塗料組成物をアクリロニトリル−ブタジエン−スチレン樹脂を含む物品に対して塗布した後、無電解めっきを施すことによって得られる、被めっき物。
【請求項７】
前記塗布が、グラビアオフセット印刷方式又はフレキソ印刷方式による塗布である、請求項６に記載の被めっき物。
【請求項８】
請求項１〜３のいずれかに記載の無電解めっき用塗料組成物を、アクリロニトリル−ブタジエン−スチレン樹脂を含む物品に塗布して塗膜を形成した後、無電解めっき液と接触させることにより、無電解めっき皮膜を形成する方法。
【請求項９】
前記塗布が、グラビアオフセット印刷方式又はフレキソ印刷方式による塗布である、請求項８に記載の方法。
【発明の詳細な説明】
【技術分野】
【０００１】
本発明は、塗料組成物及びその製造方法に関する。
【背景技術】
【０００２】
アクリロニトリル−ブタジエン−スチレン樹脂（以下、ABS樹脂又はABSともいう）を含む物品に対して金属めっき（以下、単にめっきともいう）を形成する技術は、自動車部品、家電製品等に対して意匠性を付与する目的で、広く利用されている。
【０００３】
ABS樹脂は、めっきとの界面に金属結合を得ることができない。そのため、当該ABS樹脂を含む物品とめっきとの間に優れた密着性を得るためには、当該物品の表面に微細な凹凸を形成するエッチングを行う（粗化する）ことにより、アンカー効果（投錨効果）を付与する必要がある。このエッチングは、工程が煩雑である上、クロム酸等の環境負荷の高い薬品を使用しなければならないという問題がある。
【０００４】
これに対して、特許文献１〜３では、クロム酸を使用せずにエッチングと同等の効果を狙った処理を行うことにより、ABS樹脂等を含む基材上にめっきを形成する技術が記載されている。特許文献１及び２には、いずれも、基材上に触媒との結合性を持った接着層を形成することにより、基材、接着層及び触媒との間でそれぞれ化学結合を生じさせる手法が記載されている。特許文献３には、基材に対して、UV又はオゾンによってエッチングを行うことにより、アンカー効果を付与する手法が記載されている。
【先行技術文献】
【特許文献】
【０００５】
【特許文献１】特開２０１０−０３１３１８号公報
【特許文献２】特開２００８−０５０５４１号公報
【特許文献３】特開２０１０−２７０３８９号公報
【発明の概要】
【発明が解決しようとする課題】
【０００６】
しかしながら、特許文献１〜３は、いずれも、密着性を付与するための前処理工程と、無電解めっき工程との間に、触媒金属を付与する工程（例えば、パラジウムイオンを基材に付着させた後に当該パラジウムイオンを金属化することによって、触媒となるパラジウム金属とする工程）及び触媒金属を活性化する工程が必要である。即ち、工程数は従来のクロム酸によるエッチングと変わらず、工程が煩雑であるという問題がある。
【０００７】
従って、ABS樹脂を含む物品に対して簡単に無電解めっき処理を行うことを可能にする塗料組成物であって、環境に対する悪影響が少なく、安全性が高いとともに、優れためっき密着性を付与することができる塗料組成物の開発が望まれている。
【０００８】
本発明は、ABS樹脂を含む物品に対して簡単に無電解めっき処理を行うことを可能にする分散性に優れた塗料組成物であって、環境に対する悪影響が少なく、安全性が高いとともに、優れためっき密着性及び外観皮膜を付与することができる塗料組成物を提供することを目的とする。
【課題を解決するための手段】
【０００９】
本発明は、上記課題を解決するため鋭意研究を行った結果、特定の成分を使用することによって、上記目的を達成し得る塗料組成物が得られることを見出し、ここに本発明を完成するに至った。
【００１０】
即ち、本発明は、下記の塗料組成物及びその製造方法に関する。
１．  アクリロニトリル−ブタジエン−スチレン樹脂を含む物品に対して無電解めっきを施すための塗料組成物であって、以下の(1)〜(3)：
(1)パラジウム粒子と分散剤との複合体、
(2)水及び／又は非プロトン性極性溶媒、並びに
(3)エポキシ樹脂、
を含有することを特徴とする、無電解めっき用塗料組成物。
２．  前記(1)複合体は、分散剤の存在下、パラジウムイオンを還元することによって得られる、上記項１に記載の塗料組成物。
３．  前記非プロトン性極性溶媒が、N−メチルピロリドン、N,N-ジメチルホルムアミド及びN,N-ジメチルアセトアミドからなる群から選ばれた少なくとも１種である、上記項１又は２に記載の塗料組成物。
４．  アクリロニトリル−ブタジエン−スチレン樹脂を含む物品に対して無電解めっきを施すための塗料組成物の製造方法であって、
(2)水及び／又は非プロトン性極性溶媒、並びに(3)エポキシ樹脂を含有する無電解めっき用塗料組成物の製造方法であり、
以下の(i)並びに(ii)：
(i)  (2)水及び／又は非プロトン性極性溶媒中に、パラジウムイオン及び分散剤を存在させる工程１、並びに
(ii)  前記パラジウムイオンと還元剤とを反応させることにより、前記パラジウムイオン
を還元する工程２、
を順に含むことを特徴とする、塗料組成物の製造方法。
５．  前記非プロトン性極性溶媒が、N−メチルピロリドン、N,N-ジメチルホルムアミド及びN,N-ジメチルアセトアミドからなる群から選ばれた少なくとも１種である、上記項４に記載の塗料組成物の製造方法。
６．  上記項１〜３のいずれかに記載の塗料組成物をアクリロニトリル−ブタジエン−スチレン樹脂を含む物品に対して塗布した後、無電解めっきを施すことによって得られる、被めっき物。
７．  前記塗布が、グラビアオフセット印刷方式又はフレキソ印刷方式による塗布である、上記項６に記載の被めっき物。
８．  上記項１〜３のいずれかに記載の無電解めっき用塗料組成物を、アクリロニトリル−ブタジエン−スチレン樹脂を含む物品に塗布して塗膜を形成した後、無電解めっき液と接触させることにより、無電解めっき皮膜を形成する方法。
９．  前記塗布が、グラビアオフセット印刷方式又はフレキソ印刷方式による塗布である、上記項８に記載の方法。
【００１１】
以下、本発明の塗料組成物について、詳細に説明する。
【００１２】
≪本発明の塗料組成物≫
本発明の塗料組成物は、以下の(1)〜(3)：
(1)パラジウム粒子と分散剤との複合体、
(2)水及び／又は非プロトン性極性溶媒、並びに
(3)エポキシ樹脂、
を含有することを特徴とする、アクリロニトリル−ブタジエン−スチレン樹脂を含む物品に対して無電解めっきを施すための塗料組成物である。即ち、本発明の塗料組成物は、ABS樹脂を含む物品に対して無電解めっきを施すという特定の用途に用いられるものである。本発明の無電解めっき用塗料組成物（以下、単に本発明の塗料組成物ともいう）は、分散性に優れており、従来の方法よりも簡便にかつ効率的に、ABS樹脂を含む物品に対して無電解めっき用塗膜を形成することが可能であり、しかも環境に対する悪影響が少なく、安全性が高い。また、上記無電解めっき用塗膜は、密着性及び外観皮膜に優れた無電解めっき皮膜を形成することができ、当該無電解めっき皮膜の析出速度にも優れる。
【００１３】
以下、本発明の塗料組成物の各成分について説明する。なお、本発明では、部、％等の表示を使用するが、特に断りがない限り、質量部又は質量%(wt%)を表す。
【００１４】
(1)パラジウム粒子と分散剤との複合体
本発明の塗料組成物は、パラジウム粒子(Pd粒子)と、分散剤との複合体を含有する（以下、この複合体をPd複合体ともいう）。
【００１５】
Pd複合体は、例えば、溶媒中に分散剤及びパラジウムイオン(Pdイオン)を存在させた後、当該パラジウムイオンを還元することにより得ることができる。
【００１６】
分散剤としては、Pd複合体の形状が、(i)分散剤が互いに絡み合った外観を呈し、(ii)少なくとも一部の分散剤どうしの接点で両者が接合している、という条件を満たすものが好ましい。例えば、ポリカルボン酸アンモニウム塩、ポリカルボン酸ナトリウム塩、ポリカルボン酸トリエチルアミン塩、ポリカルボン酸トリエタノールアミン塩等のポリカルボン酸系高分子分散剤；ポリオキシエチレンアルキルエーテルカルボン酸塩、アルキルヒドロキシエーテルカルボン酸塩等のヒドロキシル基を有するブロック共重合体型高分子分散剤；アクリル酸−マレイン酸共重合体、スチレン−マレイン酸共重合体、アクリル酸−スルホン酸共重合体等のカルボキシル基を有するブロック共重合体型高分子分散剤；などを使用することができる。分散剤は、1種又は2種以上を組み合わせて使用することができる。分散剤の中でも、ヒドロキシル基及び／又はカルボキシル基を有するブロック共重合体型高分子分散剤が好ましい。
【００１７】
分散剤は、市販品を使用することができる。ポリカルボン酸系高分子分散剤は、サンノプコ（株）製ノプコサントK,R,RFA，  ノプコスパース44-C,    SNディスパーサント5020,5027,5029,5034,5045,5468  、花王(株)製デモールP,EP,  ポイズ520,521,530,532A,等として販売されている。カルボキシル基を有するブロック共重合体型高分子分散剤は、ビックケミー・ジャパン（株） DISPERBYK180,187,191,194、  (株)日本触媒製アクアリックTL,GL,LSとして販売されている。また、ヒドロキシル基を有するブロック共重合体型高分子分散剤は、ビックケミー・ジャパン（株）製DISPERBYK190,2010等として販売されている。
【００１８】
パラジウムイオンを供給する化合物としては、塩化パラジウム、硫酸パラジウム、硝酸パラジウム、酢酸パラジウム、安息香酸パラジウム、サリチル酸パラジウム、パラトルエンスルホン酸パラジウム、過塩素酸パラジウム、ベンゼンスルホン酸パラジウム等が挙げられる。パラジウムイオンを供給する化合物は、１種又は２種以上を組み合わせて使用することができる。
【００１９】
Pdイオンを還元する方法としては、溶媒中に分散剤及びPdイオンを存在させた後、還元剤を前記溶媒中に加える方法が挙げられる。これによりPdイオンと還元剤とが接触し、反応する。還元剤としては、ヒドラジンヒドラート（ヒドラジン１水和物）、水素化ホウ素ナトリウム、N,N-ジメチルエタノールアミン、ジエタノールアミンなどの2級又は3級アミン類が挙げられる。
【００２０】
還元する際に使用される溶媒（分散剤及びPdイオンを存在させるための溶媒）は、以下の(2)で説明される水及び／又は非プロトン性極性溶媒（以下、(2)の溶媒ともいう）を使用することができる。溶媒は、１種又は２種以上を組み合わせて使用することができる。
【００２１】
Pd複合体の形状は、図２のように、(i)分散剤が互いに絡み合った外観を呈し、(ii)少なくとも一部の分散剤どうしの接点で両者が接合しており、(iii)前記分散剤にPd粒子が付着している、という構造であると考えられる。具体的に、Pd複合体の形状は、ランダムコイル状、密集した球状又は球形構造のいずれであってもよい。
【００２２】
Pd粒子の多くは、分散剤の外側に付着していると考えられる。例えば、Pd複合体の形状(分散剤全体の形状)が密集した球状である場合、Pd粒子の多くは当該球状の表面側（外側）に付着していると考えられる。
【００２３】
Pd複合体中のPd粒子と分散剤との質量比は、Pd粒子:分散剤＝50:50〜95:5程度であり、Pd粒子:分散剤＝65:35〜85:15が好ましい。
【００２４】
Pd粒子単独の平均粒子径は、特に限定されないが、2〜10nmが好ましい。なお、本明細書では、Pd粒子の粒子径は、後述する透過型電子顕微鏡で測定している。また、本明細書では、Pd粒子の平均粒子径は、Pd粒子をランダムに10点選択し、そのPd粒子の粒子径を上記透過型電子顕微鏡で測定して、個数平均することで算出される（個数基準平均径）。
【００２５】
一方、Pd複合体の平均粒子径は、特に限定されないが、全体としては平均粒子径20〜300nm程度の球形状（本明細書図２）の構造を有していることが好ましい。本明細書において、Pd複合体の平均粒子径は、粒径アナライザー（大塚電子株式会社、ＦＰＡＲ−１０００）で測定されたものである（質量基準平均径）。
【００２６】
本発明の無電解めっき用塗膜が、密着性及び外観皮膜に優れた無電解めっき皮膜を形成することができ、当該無電解めっき皮膜の析出速度にも優れる理由は、以下のような原理によるものと考えられる。
(原理)  Pd複合体が形成する構造の内部は、(2)の溶媒を吸着するように包含している。このPd複合体の内部の(2)の溶媒は、本発明の塗料組成物中の(2)の溶媒よりも、乾燥速度が小さい。そのため、本発明の塗料組成物をABS樹脂を含む物品に塗布すると、まず塗料組成物中の(2)の溶媒が乾燥することにより塗膜全体が形成され、その後に塗膜中に存在するPd複合体の内部の(2)の溶媒が乾燥することにより塗膜表面にクレーター状の凹凸を形成する。これにより、無電解めっき用塗膜（以下、単に塗膜ともいう）が形成される。この凹凸表面には、Pd粒子が多く存在する。このような原理で前記塗膜は形成されるため、以下の(a)〜(c)：
(a)  Pd粒子が塗膜表面に密集するように多く存在しているため、当該塗膜表面と無電解めっき液との反応性に優れ、
(b)  塗膜表面には前記凹凸が形成されているため、めっき皮膜と当該塗膜との間のアンカー効果に優れ、
(c)  前記凹凸は非常に微細であり塗膜表面の平滑性が保持されているため、光沢度の高い（外観皮膜に優れた）めっき皮膜が得られる、
という効果が奏されているものと考えられる。
【００２７】
(2)水及び／又は非プロトン性極性溶媒
本発明の塗料組成物は、(2)の水及び／又は非プロトン性極性溶媒（(2)の溶媒）を含有する。当該(2)の溶媒は、Pd複合体やエポキシ樹脂との親和性に優れており、Pd複合体及びエポキシ樹脂を分散させる溶媒（又は分散媒）としての機能を有する。
【００２８】
非プロトン性極性溶媒としては、N-メチルピロリドン(NMP)、N,N-ジメチルホルムアミド(DMF)、N,N-ジメチルアセトアミド(DMAc)等の＞Ｎ−Ｃ（＝Ｏ）−という原子団（または基若しくは結合）を有する非プロトン性極性溶媒；ジメチルスルホキシド；γ―ブチロラクトンなどが挙げられる。非プロトン性極性溶媒の中でも、＞Ｎ−Ｃ（＝Ｏ）−原子団を有する非プロトン性極性溶媒が好ましく、NMP、DMF及びDMAcからなる群から選ばれた少なくとも１種がより好ましい。なお、(2)の溶媒は１種又は２種以上を組み合わせて使用することができる。
【００２９】
(2)の溶媒は、パラジウムイオンの還元反応後に変換（例えば、溶媒を水からNMPに変換）することが可能である。
【００３０】
(2)の溶媒の含有量は、(1)Pd複合体100質量部に対して、102〜106質量部程度が好ましい。(2)の溶媒が水のみである場合は、(1)Pd複合体100質量部に対して5×103〜3×105質量部が好ましく、104〜2×105質量部がより好ましい。(2)の溶媒が非プロトン性極性溶媒のみである場合は、(1)Pd複合体100質量部に対して5×102〜5×103質量部が好ましく、103〜2×103質量部がより好ましい。
【００３１】
(3)エポキシ樹脂
本発明の塗料組成物は、エポキシ樹脂を含有する。本発明でエポキシ樹脂を使用することにより、ABS樹脂を含む物品上に無電解めっき用塗膜をより強固に密着させることができる。エポキシ樹脂は、無電解めっき用塗膜を構成する高分子母材（マトリックス樹脂）となる。
【００３２】
本明細書において、エポキシ樹脂は、1液性又は2液性エポキシ樹脂のいずれも包含する。また、本明細書において、エポキシ樹脂は、変性エポキシ樹脂を包含する。
【００３３】
1液性エポキシ樹脂としては、ビスフェノールA型、ビスフェノールF型、ノボラック型、フェノールノボラック型、クレゾールノボラック型、グリシジルエステル型、グリシジルエーテル型、ビフェニル型などが挙げられる。1液性エポキシ樹脂は、例えば、DIC（株）製EPICLON830,830-S,835,840,840-S,850,850-S,N-730A,N-740A,N-770,N-775； ナガセケムテックス（株）製XNR-3053,XNR3505,XN1244,XN1278； 荒川化学工業（株）製アラキード9201N,9203N,9205,9208、モデピクス301,302,401； 東亞合成（株）製アロンマイティAP-0786,AS-60,BX-60,AS-315等の市販されている商品を使用することができる。
【００３４】
2液性エポキシ樹脂としては、前記エポキシ樹脂を本剤とする樹脂を使用することができる。本剤とともに使用する硬化剤としては、ポリアミド、ポリアミン、ポリアミドアミン、ケチミン、イミダゾール、ジアミン、ジアミンジアミド、テトラヒドロフタル酸無水物などが挙げられる。2液性エポキシ樹脂の本剤は、例えば、三菱化学（株）製ｊER-806,807,825,827,828,1256,4250,4275,W2821R70 ； （株）ADEKA製アデカレジンEP-4100HF,EP-4088S,EPR-4030； ナガセケムテックス（株）製AV138-HV998,XNR3106-XNH3103； 東亞合成（株）製アロンマイティAP-400BD等の市販されている商品を使用することができる。2液性エポキシ樹脂の硬化剤は、例えば、DIC（株）製ラッカマイド17-202,TD-961,TD-977,TD-992,WN-155,WN-170,WN-405,WN-505； 三菱化学（株）製jERキュア-ST11,ST12,St13,ST14,LV11,DC11,RC11,FL11,QX11,H3,WD11M60； （株）ADEKA製アデカハードナーEH-3636AS,EH-5010S,EH-5015S； 日立化成（株）HN-2200,HN-2000,HN-5500、;T&K  TOKA（株）製トーマイド245,275,210,241,フジキュア―5000,FXS-654,FXS-8077等の市販されている商品を使用することができる。
【００３５】
エポキシ樹脂としては、作業性、経時安定性等の観点から、1液性エポキシ樹脂が好ましい。なお、エポキシ樹脂は、１種又は２種以上を組み合わせて使用することができる。
【００３６】
エポキシ樹脂の硬化温度は、60〜200℃が好ましく、80℃〜150℃がさらに好ましい。
【００３７】
前記エポキシ樹脂の含有量は、Pd複合体100質量部に対して、102〜104質量部が好ましく、100〜2000質量部がより好ましい。
【００３８】
本発明の塗料組成物は、本発明の効果が奏される範囲内で、上記(2)の溶媒に分散又は溶解する樹脂（以下、バインダー樹脂ともいう）を使用することができる。具体的なバインダー樹脂としては、ポリエステル樹脂、アクリル樹脂、ポリウレタン樹脂、ポリアミド樹脂、ポリイミド樹脂、シェラック樹脂、メラミン樹脂、尿素樹脂、等が挙げられる。バインダー樹脂は、１種又は２種以上を組み合わせて使用することができる。なお、４−アルキル−３−カルボン酸エステルポリピロールは、めっき皮膜の密着性の低下、耐水性の低下、耐候性の低下等の観点から、バインダー樹脂として含有しないことが好ましい。
【００３９】
また、(2)の溶媒の他、本発明の効果が奏される範囲内で、希釈溶媒を使用することができる。希釈溶媒としては、メタノール、エタノール、イソプロピルアルコール(IPA)等のアルコール類；アセトン、メチルエチルケトン(MEK)、シクロヘキサノン、ジアセトンアルコール等のケトン類；エチレングリコールモノメチルエーテル、エチレングリコールモノブチルエーテル（ブチルセロソルブ）、tert-ブチルセロソルブ等のグリコールエーテル類；安息香酸メチル、安息香酸エチル、サリチル酸メチル等の芳香族カルボン酸エステル類；トルエン、キシレン等の芳香族炭化水素類；メチルセロソルブアセテート、エチルセロソルブアセテート、ブチルセロソルブアセテート、メチルカルビトールアセテート、ブチルカルビトールアセテート、プロピレングリコールモノメチルエーテルアセテート(PGMEA)等のグリコールエーテルエステル類；酢酸エチル、酢酸ブチル等のアルカノールエステル類；等を含有してもよい。中でも、Pd複合体や樹脂との親和性、ABS樹脂を含む物品との溶着性、塗装性能等の観点から、ケトン類が好ましい。
【００４０】
これらの希釈溶媒を使用する場合、その含有量は、(1)Pd複合体100質量部に対して、0〜2×104質量部とすることが好ましく、20〜2×104質量部がより好ましい。希釈溶媒は、１種又は２種以上を組み合わせて使用することができる。
【００４１】
≪本発明の塗料組成物の製造方法≫
本発明の塗料組成物は、特に限定されないが、以下の(i)並びに(ii)：
(i)  (2)水及び／又は非プロトン性極性溶媒中に、パラジウムイオン及び分散剤を存在させる工程１、並びに
(ii)  前記パラジウムイオンと還元剤とを反応させることにより、前記パラジウムイオン
を還元する工程２、
を含む製造方法により製造することが好ましい。前記製造方法によれば、ABS樹脂を含む物品に対して無電解めっき用塗膜を形成することが可能である塗料組成物を、環境に対する悪影響が少なく簡便にかつ効率的に製造することができる。当該塗料組成物は、分散性に優れ、かつ、従来の方法よりも簡便で効率的にABS樹脂を含む物品に対して無電解めっき用塗膜を形成することが可能であり、しかも環境に対する悪影響が少なく、安全性が高い。上記無電解めっき用塗膜は、密着性及び外観皮膜に優れた無電解めっき皮膜を形成することができ、当該無電解めっき皮膜の析出速度にも優れる。
【００４２】
工程１において、パラジウムイオンと分散剤とを溶媒中に存在させる。パラジウムイオンは、供給源として前述のパラジウムイオンを供給する化合物を使用することができる。分散剤としては、前述の分散剤を使用することができる。
【００４３】
工程１におけるパラジウムイオンと分散剤の使用比率（質量比）は、パラジウムイオン100質量部に対して、分散剤は通常、10〜200質量部程度である。パラジウムイオン100質量部に対して、分散剤は30〜150質量部が好ましく、さらに好ましくは50〜100質量部である。
【００４４】
工程１で使用する溶媒としては、上記(2)の溶媒を使用することができる。当該溶媒の使用量は、パラジウムイオンと分散剤を均一に存在させることができれば特に限定されないが、パラジウムイオン100質量部に対して104〜3×105質量部が好ましく、104〜105質量部がより好ましい。
【００４５】
工程２では、パラジウムイオンと還元剤とを反応させることにより、パラジウムイオンが還元剤によって還元される。即ち、工程２ではパラジウムイオンの還元反応が生じ、結果として前述の(1)のPd複合体を得ることができる。工程２における還元剤としては、前述の(1)のPd複合体を作製するために使用される還元剤を使用することができる。還元剤の使用量は、特に限定されないが、パラジウムイオン100質量部に対して、100〜800質量部程度であり、200〜600質量部が好ましい。
【００４６】
工程２に関して、反応温度は35〜45℃程度であり、50〜60℃程度まで昇温する。反応時間は、特に限定されないが、1〜5時間程度とすればよい。反応の際の圧力及び雰囲気は、特に限定されず、大気圧下かつ大気(空気)雰囲気下で行えばよい。反応はビーカーなどの開放系で行うことができ、反応方法としてはパラジウムイオン、分散剤及び還元剤を含有する溶液を羽根付き撹拌棒で撹拌すればよい。
【００４７】
本発明の塗料組成物は、工程１及び工程２のみの手順でも得られるが、工程２の後に、例えば、(2)の溶媒、(3)エポキシ樹脂、その他成分等の含有（添加）；Pd複合体含有液の分離；などのその他の操作を行ってもよい。この点について、以下説明する。
【００４８】
工程２の後では、前述の(2)の溶媒及び／又は(3)エポキシ樹脂を含有することができる。なお、パラジウムイオンの還元反応後に溶媒を変換する（例えば、工程１の溶媒として水を使用し、工程２の後で上記水をNMPに変換することにより、NMPを溶媒とする無電解めっき塗料組成物とする）ことも可能である。
【００４９】
工程２の後に、工程２で得られたPd複合体含有液を限外濾過による分離を行うことができる。この操作により、Pd複合体含有液に含まれる無機塩や過剰の分散剤等を除去することができる。より具体的には、Pd複合体含有液に対して濾過操作及び水、溶媒等（特に水）の補填操作を繰り返すことができる。
【００５０】
≪本発明の被めっき物≫
本発明の被めっき物は、本発明の塗料組成物をABS樹脂を含む物品に塗布した後、無電解めっきを施して無電解めっき皮膜を形成することにより得られる。被めっき物に形成される無電解めっき皮膜は、密着性に優れる。
【００５１】
本明細書において、ABS樹脂を含む物品とは、少なくとも無電解めっきが施される表面部の主成分がABS樹脂である（即ち、少なくとも無電解めっきが施される表面部がABS樹脂を50質量%以上含有する）物品を指すものとする。即ち、ABS樹脂を含む物品は、無電解めっきが施される表面部の材質がABS樹脂のみからなる必要はなく、当該表面部の材質がABS樹脂以外の成分を含有していてもよい。
【００５２】
前記表面部に含まれるABS樹脂以外の成分としては、炭酸カルシウム、ガラス繊維、炭素繊維、マイカ等の無機充填剤；ポリカーボネート(PC)、ポリブチレンテレフタレート(PBT)、ポリアミド(PA)等の樹脂；などが挙げられる。なお、前記樹脂を含有する場合は、ABS樹脂と前記樹脂とのポリマーアロイを意味し、(i)物理的又は化学的手法で混合したポリマーブレンドとして含有する場合、(ii)ABS樹脂とのブロック共重合体又はグラフト共重合体して含有する場合、のいずれも包含する意味である。前記樹脂を含有する具体例としては、PC/ABS、PBT/ABS、PA/ABSなどのポリマーアロイが挙げられる。
【００５３】
また、本明細書において、ABS樹脂を含む物品は、無電解めっきが施される表面部以外の部位については、ABS樹脂を含有していなくてもよい。例えば、ポリエチレンテレフタレート(PET)からなるフィルム上にABS樹脂層が形成された基材（即ち、2層の樹脂層からなる基材）は、本発明におけるABS樹脂を含む物品に包含される。また、例えば、PETフィルムの全ての面上にABS樹脂が覆うように形成された基材もまた、本発明におけるABS樹脂を含む物品に包含される。
【００５４】
耐熱性、機械強度、無電解めっき用塗膜の密着性等の観点から、ABS樹脂を含む物品として、少なくとも無電解めっきが施される表面部がABS樹脂を100質量%含有する物品（ABS樹脂のみからなる物品）が好ましい。
【００５５】
ABS樹脂を含む物品としては、例えば、携帯電話、パソコン、冷蔵庫等の電化製品の筐体；エンブレム、スイッチベース、ラジエータグリル、ドアハンドル、ホイールカバー等の自動車用部品；などが挙げられる。
【００５６】
ABS樹脂を含む物品に対して上記塗料組成物を塗布する方法としては、特に限定されず、例えば、バーコーター、グラビア印刷機（グラビアオフセット）、フレキソ印刷機、インクジェット印刷機、ディッピング、スプレー、スピンコーター、ロールコーター、リバースコーター、スクリーン印刷機等を用いて、印刷またはコーティングすることができる。また、塗料組成物に対して当該物品を浸漬させてもよい。中でも、グラビアオフセット印刷又はフレキソ印刷による塗布が好ましい。
【００５７】
本発明の塗料組成物を塗布した後では、乾燥処理を行うことができる。当該乾燥工程によって、無電解めっきを行う際に不必要な溶媒を効率的に除去するとともに、エポキシ樹脂が硬化し、無電解めっき用塗膜とABS樹脂を含む物品との密着性、及び当該塗膜の表面強度を向上させることができる。
【００５８】
乾燥処理の温度は、好ましくは60〜120℃程度である。さらに好ましくは70〜90℃である。乾燥時間は、乾燥温度にもよるが、通常10分〜120分程度である。さらに好ましくは30〜90分程度である。
【００５９】
無電解めっき用塗膜には、Pd複合体が含まれる。Pd複合体は、塗膜に対して均一に分散された状態で存在する。そのため、当該塗膜上に対して、より効率的に無電解めっきを行うことができる。
【００６０】
乾燥前における塗膜の厚みは、使用用途によって適宜選択することができる。乾燥前では通常1〜30μm程度であり、2〜20μmが好ましい。
【００６１】
乾燥後における塗膜の厚みは、通常0.05〜3μm程度であり、0.1〜1μmが好ましい。乾燥後における塗膜の厚みが上記範囲内であれば、ABS樹脂を含む物品と塗膜との密着性、および無電解めっき皮膜（金属皮膜）と塗膜との密着性のいずれにおいて特に優れる。
【００６２】
前記の方法によって塗膜が形成されたABS樹脂を含む物品は、金属を析出させるためのめっき液と接触し、これにより無電解めっき皮膜が形成される。無電解めっきは反応性がよく、得られた無電解めっき皮膜はむらがなく、密着性及び外観皮膜に優れる。
【００６３】
めっき液としては、通常、無電解めっきに使用されるめっき液であれば特に限定されず、例えば、銅、金、銀、ニッケル、クロム等が挙げられる。特に、本発明の塗料組成物によって形成された塗膜との関係から、銅又はニッケルが好ましい。これらのめっき条件については、常法に従えばよい。
【００６４】
例えば、無電解めっき処理温度に関して、無電解銅めっき浴では通常25〜45℃程度であり、処理時間は10〜20分程度で、0.3〜0.4μm程度の析出膜厚となる。また、無電解ニッケルボロン浴では、処理温度は55〜70℃程度であり、析出速度は通常5μm／hr（60℃）程度である。無電解ニッケルりん浴では通常85〜95℃程度であり、析出速度は通常20μm／hr（90℃）程度である。
被めっき物は、上述の電化製品の筐体、自動車用部品などの各種用途で使用することができる。
【発明の効果】
【００６５】
本発明の塗料組成物は、分散性に優れており、従来の方法よりも簡便にかつ効率的にABS樹脂を含む物品に対して無電解めっき用塗膜を形成することが可能であり、しかも環境に対する悪影響が少なく、安全性が高い。また、上記無電解めっき用塗膜は、密着性及び外観皮膜に優れた無電解めっき皮膜を形成することができ、当該無電解めっき皮膜の析出速度にも優れる。
【図面の簡単な説明】
【００６６】
【図１】本発明の塗料組成物の概略図である。
【図２】本発明のPd複合体の概略図である。
【図３】本発明の被めっき物の概略図である。
【図４】本発明で使用する無電解めっき用塗膜のＳＥＭ像を示す。なお、ＳＥＭは、JSM6390（日本電子株式会社製）を使用している。
【図５】本発明で使用するPd複合体のＴＥＭ像を示す。なお、ＴＥＭは、JEM3010（日本電子株式会社製）を使用している。
【図６】本願実施例１の塗料組成物中のPd複合体の粒子径分布を示す。当該粒子径分布は、粒径アナライザー（大塚電子株式会社、FPAR−1000）で測定している。
【発明を実施するための形態】
【００６７】
以下に実施例及び比較例を示して本発明を具体的に説明する。但し、本発明は実施例に限定されない。
【００６８】
製造例１：Pd複合体含有液Ａの作製
３リットルフラスコにイオン交換水944.5gを入れ、当該イオン交換水に硝酸パラジウム5.0gを加えて、撹拌した。これにより、硝酸パラジウムを水に溶解させた。当該水溶液に、カルボキシル基を有するブロック共重合体型高分子分散剤（DISPERBYK194、ビックケミー・ジャパン社製、不揮発分53wt%）3.8gをさらに加えて、当該水溶液に溶解させた。この溶液を42℃になるまで加熱した後、撹拌しながらヒドラジン１水和物10.0gを加えた。この後、当該溶液を、室温下（23℃）で1時間撹拌した。溶液の温度は、ヒドラジン１水和物の添加後に53℃まで上昇したが、１時間撹拌した後の溶液の温度は40℃であった。この操作により、水溶液中のパラジウムイオンが還元された。この溶液を限外濾過フィルターAHP-1010（旭化成株式会社製）にて、還元されたPd複合体含有液と、無機塩含有液とを分離した。この操作により得られたPd複合体含有液に対して、上記分離した無機塩含有液と同じ質量分のイオン交換水を加えて、再度限外濾過フィルターで分離操作を行った。このイオン交換水補填操作及び分離操作を５回繰り返した。当該操作後に得られたPd複合体含有液の電気伝導率（導電率）は、28μS・cm-1であった。即ち、当該電気伝導率は30μS・cm-1以下であったので、この結果によって当該Pd複合体含有液から無機塩を除去できたことを確認した。なお、得られたPd複合体含有液に関して、TG/DTA分析でPd複合体含有率を調べたところ、550℃での残固形分から、Pd複合体含有率は１.2wt%であることがわかった。また、Pd粒子の平均粒子径は2〜10nmの範囲内であり、Pd複合体中のPd粒子と分散剤との質量比は、Pd粒子:分散剤＝75:25であった。
【００６９】
製造例２：Pd複合体含有液Ｂの作製
DISPERBYK194に代えて、ヒドロキシル基を有するブロック共重合体型高分子分散剤DISPERBYK2010（ビックケミー・ジャパン社製、不揮発分40wt%）を用いた以外は上記製造例１と同様にして、Pd複合体含有液Ｂを得た。なお、Pd複合体含有液ＢのPd複合体含有率は1.4wt%であった。また、Pd粒子の平均粒子径は2〜10nmの範囲内であり、Pd複合体中のPd粒子と分散剤との質量比は、Pd粒子:分散剤＝75:25であった。
【００７０】
製造例３：Pd複合体含有液Ｃの作製
上記Pd複合体含有液Ａを遠心分離機にて、16時間、13000G荷重のかかる回転速度で回転させ、固形分を沈降させた。上澄み液をデカンテーションで除去した後、当該除去した上澄み液と同じ質量分のN-メチルピロリドンを加えた。この後、当該N-メチルピロリドン含有液を撹拌して、円沈管底部に溶け残りがないように、Pd複合体を分散させた。この液を遠心分離機にて、16時間、13000G荷重のかかる回転速度で回転させた。この操作により、固形分を沈降させるとともに、上澄み液を除去した。この操作を４回行った。この後、カールフィッシャー法にて、上記沈降させた固形分の含水率が1wt%以下になったことを確認した後、当該固形分に対してN-メチルピロリドンを加えることにより、Pd複合体含有率8wt%のPd複合体含有液Ｃ（分散媒：N-メチルピロリドン(NMP)）を得た。また、Pd粒子の平均粒子径は2〜10nmの範囲内であり、Pd複合体中のPd粒子と分散剤との質量比は、Pd粒子:分散剤＝80:20であった。
【００７１】
製造例４：Pd複合体含有液Ｄの作製
N-メチルピロリドンに代えてN,N-ジメチルアセトアミドを使用する以外は、製造例３と同様の方法により、Pd複合体含有率8wt%のPd複合体含有液Ｄ（分散媒：N,N-ジメチルアセトアミド（DMAc)）を得た。また、Pd粒子の平均粒子径は2〜10nmの範囲内であり、Pd複合体中のPd粒子と分散剤との質量比は、Pd粒子:分散剤＝80:20であった。
【００７２】
製造例５：Pd複合体含有液Ｅの作製
N-メチルピロリドンに代えてN,N-ジメチルホルムアミドを使用する以外は、製造例３と同様の方法により、Pd複合体含有率8wt%のPd複合体含有液Ｅ（分散媒：N,N-ジメチルホルムアミド（DMF)）を得た。また、Pd粒子の平均粒子径は2〜10nmの範囲内であり、Pd複合体中のPd粒子と分散剤との質量比は、Pd粒子:分散剤＝80:20であった。
【００７３】
製造例６：Pd複合体含有液Ｆの作製
N-メチルピロリドンに代えてエタノールを使用する以外は、製造例３と同様の方法により、Pd複合体含有率8wt%のPd複合体含有液Ｆ（分散媒：エタノール）を得た。
【００７４】
製造例７：Pdイオン水溶液Ｇの作製
３リットルフラスコにイオン交換水936.8gを入れ、当該イオン交換水に硝酸パラジウム21.6gを加えて、撹拌した。これにより、硝酸パラジウムを水に溶解させた。当該水溶液に、DISPERBYK194（ビックケミー・ジャパン社製、不揮発分53wt%）40.0gを加えて、当該水溶液に溶解させた。この水溶液に対して、pH=9となるように水酸化ナトリウムを1.6g添加した。これにより、Pdイオン水溶液Ｇが得られた。なお、Pdイオンの濃度は1wt%であった。
【００７５】
実施例１
Pd複合体含有液Ａ41.67wt%、変性エポキシ樹脂水溶液(モデピクス302、固形分33wt%、荒川化学工業株式会社製)3.03wt%、及びイオン交換水55.30wt%を混合して塗料組成物aを作製した。当該塗料組成物aをABS基板(トヨラック100、東レ株式会社製)上に、バーコーター#4を用いて塗布し、乾燥用オーブン内で90℃、30分間乾燥させた。これにより、実施例１の無電解めっき用塗膜が形成されたABS基板を得た。
【００７６】
実施例２
Pd複合体含有液Ｂ35.71wt%、エポキシ樹脂水溶液(jER-W2821R70、固形分70wt%、三菱化学株式会社製)1.43wt%、硬化剤(jERキュア-WD11M60、固形分60wt%、三菱化学株式会社製)0.42wt%及び水62.44wt%を混合して塗料組成物bを作製した。その後、上記塗料組成物aに代えて、当該塗料組成物bを使用する以外は、上記実施例１と同様にして、実施例２の無電解めっき用塗膜が形成されたABS基板を得た。
【００７７】
実施例３
実施例１と同様にして、塗料組成物aを作製した。インクジェットプリンター（PX-A550、セイコーエプソン株式会社製）の黒インク用カートリッジから当該黒インクを抜き取り、洗浄した後、上記塗料組成物aを充填した。この塗料組成物aを充填したカートリッジを上記プリンター（PX-A550）にセットして、ABS基板(トヨラック100、東レ株式会社製)上に、ラインアンドスペース300μm/300μmのパターンを印刷した。この後、60℃で60分乾燥させることにより、実施例３の無電解めっき用塗膜が形成されたABS基板を得た。
【００７８】
実施例４
Pd複合体含有液Ｃ6.25wt%、変性エポキシ樹脂溶液（アラキード9201N、荒川化学工業株式会社製、固形分40wt%）2.50wt%及びシクロヘキサノン91.25wt%を混合して塗料組成物cを作製した。当該塗料組成物cをABS基板(デンカABS  GR-0500、電気化学工業株式会社製)上に、バーコーター#4を用いて塗布し、乾燥用オーブン内で80℃、10分間乾燥させた。これにより、実施例４の無電解めっき用塗膜が形成されたABS基板を得た。
【００７９】
実施例５
Pd複合体含有液Ｃ6.25wt%、変性エポキシ樹脂溶液（アロンマイティBX-60、東亞合成株式会社、固形分22wt%）22.73wt%、ジアセトンアルコール71.02wt%を混合して塗料組成物dを作製した。当該塗料組成物dをABS基板(3001MG2A、UMGABS株式会社製)上に、バーコーター#4を用いて塗布し、乾燥用オーブン内で80℃、60分間乾燥させた。これにより、実施例５の無電解めっき用塗膜が形成されたABS基板を得た。
【００８０】
実施例６
実施例５と同様にして、塗料組成物dを作製した。当該塗料組成物dを、ドクターブレードを用いて、100μmピッチで形成されたグラビア印刷用凹版の細孔内に充填した。当該塗料組成物dを充填した部分の上に、転写用ブランケットゴムロール（A(0.6)SP11-1、株式会社金陽社製）を密着させて、当該塗料組成物dをロール上に転写した。この後、このブランケットゴムロールをABS基板(3001MG2A、UMGABS株式会社製)に密着させることにより、当該塗料組成物dをABS基板上に転写し、乾燥用オーブン内で80℃、60分間乾燥させた。これにより、実施例６の無電解めっき用塗膜が形成されたABS基板を得た。
【００８１】
実施例７
Pd複合体含有液Ｄ6.25wt%、変性エポキシ樹脂溶液（アロンマイティBX-60、東亞合成株式会社、固形分22wt%）22.73wt%、ジアセトンアルコール71.02wt%を混合して塗料組成物eを作製した。その後、上記塗料組成物dに代えて、当該塗料組成物eを使用する以外は、上記実施例５と同様にして、実施例７の無電解めっき用塗膜が形成されたABS基板を得た。
【００８２】
実施例８
Pd複合体含有液Ｅ6.25wt%、変性エポキシ樹脂溶液（アロンマイティBX-60、東亞合成株式会社、固形分22wt%）22.73wt%、ジアセトンアルコール71.02wt%を混合して塗料組成物fを作製した。その後、上記塗料組成物dに代えて、当該塗料組成物fを使用する以外は、上記実施例５と同様にして、実施例８の無電解めっき用塗膜が形成されたABS基板を得た。
【００８３】
実施例９
Pd複合体含有液Ｃ6.25wt%、エポキシ樹脂（XNR3505、ナガセケムテックス株式会社、固形分100wt%）5.00wt%、トルエン30.0wt%、及びシクロヘキサノン58.75wt%を混合して塗料組成物gを作製した。その後、上記塗料組成物dに代えて、当該塗料組成物gを使用する以外は、上記実施例６と同様にして、実施例９の無電解めっき用塗膜が形成されたABS基板を得た。
【００８４】
実施例10
実施例５と同様にして、塗料組成物dを作製した。その後、当該塗料組成物dにABS基板(3001MG2A、UMGABS株式会社製)を10秒間浸漬し、乾燥用オーブン内で80℃、60分間乾燥させた。これにより、実施例10の無電解めっき用塗膜が形成されたABS基板を得た。
【００８５】
比較例１
Pdイオン水溶液Ｇ50.00wt%、変性エポキシ樹脂溶液(モデピクス302、固形分33wt%、荒川化学工業株式会社製)3.03wt%、及びイオン交換水46.97wt%を混合して塗料組成物hを作製した。その後、上記塗料組成物dに代えて、当該塗料組成物hを使用する以外は、上記実施例５と同様にして、比較例１の塗膜が形成されたABS基板を得た。
【００８６】
比較例２
Pd複合体含有液Ａ41.67wt%、ポリエステル樹脂水溶液(RZ-570、固形分25wt%、互応化学工業株式会社製)4.00wt%、及びイオン交換水54.33wt%を混合して無電解めっき用塗料組成物iを作製した。その後、上記塗料組成物dに代えて、当該塗料組成物iを使用する以外は、上記実施例５と同様にして、比較例２の塗膜が形成されたABS基板を得た。
【００８７】
比較例３
以下の表１の通り、Pd複合体含有液Ｃ6.25wt%、ポリウレタン樹脂溶液(ユリアーノ12548、固形分30wt%、荒川化学工業株式会社製)3.33wt%、及びシクロヘキサノン90.42wt%を混合して無電解めっき用塗料組成物jを作製した。その後、上記塗料組成物dに代えて、当該塗料組成物jを使用する以外は、上記実施例５と同様にして、比較例３の塗膜が形成されたABS基板を得た。
【００８８】
比較例４
実施例５と同様にして、塗料組成物dを作製した。当該塗料組成物dをPETフィルム（SL-50、帝人株式会社製）上に、バーコーター#4を用いて塗布し、乾燥用オーブン内で80℃、60分間乾燥させた。これにより、比較例４の塗膜が形成されたPETフィルム（基板）を得た。
【００８９】
比較例５
Pd複合体含有液Ｆ6.25wt%、変性エポキシ樹脂溶液（アロンマイティBX-60、東亞合成株式会社、固形分22wt%）22.73wt%、ジアセトンアルコール71.02wt%を混合して塗料組成物kを作製した。その後、上記塗料組成物dに代えて、当該塗料組成物kを使用する以外は、上記実施例５と同様にして、比較例５の塗膜が形成されたABS基板を得た。
【００９０】
評価試験１：塗料組成物の分散性試験
上記実施例１〜１０及び比較例１〜５で得られた塗料組成物a〜kについて、分散性を評価した。具体的には、上記塗料組成物a〜kを作製した後に24時間静置させ、当該静置後の当該塗料組成物a〜kを目視にて評価した。分散性の評価基準は、以下の通りとした。
○：(1)Pd複合体及び(3)エポキシ樹脂が均一に分散していた。
×：(1)Pd複合体（若しくはパラジウム粒子）又は(3)エポキシ樹脂が均一に分散されずに一部又は全部が沈殿していた。
【００９１】
評価試験２：無電解めっき性試験
上記得られた実施例１〜１０及び比較例１〜５の各基板を無電解めっき浴に浸漬させることにより、無電解めっき性を評価した。無電解銅めっき浴としては、上村工業株式会社製  スルカップPSY（初期Cu濃度2.5g/l、浴容積  500ml  30℃）を使用し、無電解ニッケルめっき浴としては、上村工業株式会社製BEL801(初期Ni濃度6g/l、浴容積  500ml  65℃)を使用した。無電解めっき浴への浸漬は、15分間行った。無電解めっき性の評価基準は、以下の通りとした。
◎：光沢のあるめっき皮膜が得られ、かつ剥離が見られなかった。
○：当該◎評価ほど光沢はないが、製品として十分許容できる程度に光沢のあるめっき皮膜が得られ、かつ剥離が見られなかった。
△：めっき皮膜が得られたものの、めっき皮膜の剥離が見られた。
×：めっき皮膜が得られなかった。
【００９２】
評価試験３：密着性試験（ピール強度）
無電解めっき皮膜の密着性を確認するために、実施例１、２及び４〜１０並びに比較例２〜４で得られた各基板の無電解めっき用塗膜上に対して、電解（電気）銅めっき処理を行った。この電解銅めっき皮膜にカッターナイフを用いて10mm幅の切れ込みを入れ、ピール強度試験機（デジタルフォースゲージZTA-DPU、株式会社IMADA社製）によりピール強度(N/cm)を測定した。電気銅めっき浴は、硫酸銅80g/L、硫酸150g/L、株式会社JCU社製Cu-brite 5ml/L、めっき条件は、25℃、1A/dm2×3分、4A/dm2×27分で、25μmの銅めっき皮膜を形成した。なお、ピール強度試験はめっき皮膜の厚みが20μm程度以上必要であるのに対して、無電解めっき皮膜では上述の厚膜化が難しい。そこで、無電解めっき皮膜のピール強度の代替として、電解めっき皮膜のピール強度を測定している。電解めっき皮膜のピール強度は、無電解めっき皮膜の密着性と相関がある。
【００９３】
評価試験４：密着性試験（クロスカット試験評価）
無電解めっき皮膜の密着性を確認するために、以下の試験を行った。実施例１〜１０並びに比較例２〜４の各基板に対して上記評価試験２と同様にして、銅またはニッケルめっき皮膜を得た。当該銅またはニッケルめっき皮膜上に、JIS K 5600（クロスカット法）に基づいて1mm間隔で25マスの切込みを入れた。その上にセロハンテープ（セロテープ（登録商標）、ニチバン株式会社製）を貼り、テープを剥離したときの剥がれなかったマス目の数を測定した。一例として、表中、25/25は25マス全てにおいて剥離していないことを示し、16/25は9マス剥離したことを示す。
【００９４】
評価試験５：外観皮膜試験（シート抵抗値）
無電解めっき皮膜の外観皮膜の状態を確認するために、以下の試験を行った。実施例１〜１０並びに比較例１〜５の各基板に対して上記評価試験２と同様にして、銅またはニッケルめっき皮膜を得た。当該銅またはニッケルめっき皮膜の任意の４点のシート抵抗値(Ω/□)を測定した。シート抵抗値の測定は、低抵抗率計（Loresta-GP、株式会社三菱化学アナリテック社製）を用いて行われた。なお、シート抵抗値の目安として、銅めっき皮膜では１Ω/□以下が○評価であり、ニッケルめっき皮膜では１０Ω/□以下が○評価である。
【００９５】
結果を以下の表１〜３に示す。なお、表中の上段は、各塗料組成物中の各成分の質量%(wt%)を示し、表中の下段は基板（基材）の材質、塗布方法及び評価試験の結果を示す。表中、MEKはメチルエチルケトン、IPAはイソプロピルアルコール、PGMEAはプロピレングリコールモノメチルエーテルアセテート、Ｂはバーコーター、Ｉはインクジェット、Ｇはグラビアオフセット、Ｄは浸漬（ディッピング）を意味する。また、表中、*は無電解めっき用塗料組成物を塗布したライン上にのみめっき皮膜が析出し、導電性パターンが形成できたことを意味する。
【００９６】
【表１】
2015067625.tif 000002
【表２】
2015067625.tif 000003
【表３】
2015067625.tif 000004
【符号の説明】
【００９７】
１．Pd複合体
２．水及び／又は非プロトン性極性溶媒、並びにエポキシ樹脂
３．Pd粒子
４．分散剤
５．基材（ABS樹脂を含む物品）
６．無電解めっき用塗膜
７．無電解めっき皮膜
【図１】
2015067625.tif 000005
【図２】
2015067625.tif 000006
【図３】
2015067625.tif 000007
【図４】
2015067625.tif 000008
【図５】
2015067625.tif 000009
【図６】
2015067625.tif 000010